(57)【要約】【目的】  バッテリ電源で駆動するホストコンピュータに接続された光ディスク記録装置で２層ディスクをフォーマットするときのフォーマット時間を短縮すると共に、フォーマット後の２層ディスクがＤＶＤ−ＲＯＭ再生専用装置で正しく再生できるようにする。【構成】  バッテリ電源で駆動可能なホストコンピュータ２０と２層ディスクの光ディスク１８に情報の記録を行うＣＤ／ＤＶＤ記録再生ドライブ装置１とを接続し、ホストコンピュータ２０の制御部２１は、ＣＤ／ＤＶＤ記録再生ドライブ装置１によって光ディスク１８に対してフォーマット動作を実施させる際にバッテリ電源で駆動していると判断したときには上記フォーマット動作をＺＺ方式フォーマットで行うように選択し、その選択結果のフォーマット命令をＣＤ／ＤＶＤ記録再生ドライブ装置１へ発行してＺＺ方式フォーマットによるフォーマット動作を行わせる。【選択図】        図１
2006236425.tif 000002
【特許請求の範囲】
【請求項１】
交流電源とバッテリ電源で駆動可能なホストコンピュータと、該ホストコンピュータに接続し、記録層が２層ある２層ディスクに対して情報の記録を行う情報記録装置とからなる情報記録システムにおいて、
前記ホストコンピュータは、前記情報記録装置によって前記２層ディスクに対してフォーマット動作を実施させる際にバッテリ電源で駆動しているか否かを確認し、バッテリ電源で駆動していると判断したときには前記フォーマット動作をＺＺ方式フォーマットで行うように選択し、該選択結果のフォーマット命令を前記情報記録装置へ発行してＺＺ方式フォーマットによるフォーマット動作を行わせるようにしたことを特徴とする情報記録システム。
【請求項２】
請求項１記載の情報記録システムにおいて、
前記ホストコンピュータは、前記バッテリ電源の残容量に応じて前記２層ディスクのフォーマットする容量を決定するようにしたことを特徴とする情報記録システム。
【請求項３】
請求項１記載の情報記録システムにおいて、
前記ホストコンピュータは、前記情報記録装置にＺＺ方式フォーマットによるフォーマット動作を行わせるとき、前記バッテリ電源の残容量に応じてＺＺブロックの大きさが固定である場合にはＺＺフォーマットする単位の数を決定するようにしたことを特徴とする情報記録システム。
【請求項４】
請求項１乃至３のいずれか一項に記載の情報記録システムにおいて、
前記情報記録装置は、前記ホストコンピュータからのフォーマット命令の実行完了後に、フォーマット情報をディスク情報管理データとして前記２層ディスク上に記録するようにしたことを特徴とする情報記録システム。
【請求項５】
請求項１記載の情報記録システムにおいて、
前記ホストコンピュータは、交流電源で駆動している場合、前記情報記録装置へ前記２層ディスクの全面に対して通常フォーマット命令を発行して通常フォーマットによるフォーマット動作を行わせるようにしたことを特徴とする情報記録システム。
【請求項６】
請求項１乃至４のいずれか一項に記載の情報記録システムにおいて、
前記ホストコンピュータは、前記情報記録装置からフォーマット動作の完了通知を受信したあとに、前記情報記録装置へ前記２層ディスクのリードイン領域、リードアウト領域、テンポラリミドルゾーンを記録する命令を発行して記録を行わせるようにしたことを特徴とする情報記録システム。
【発明の詳細な説明】
【技術分野】
【０００１】
この発明は、ＤＶＤ，ＣＤの光ディスクに情報を記録するＤＶＤ記録装置、ＣＤ記録装置を含む情報記録装置と、バッテリ駆動で動作するノートブック型パーソナルコンピュータを含むホストコンピュータとからなる情報記録システムに関する。
【背景技術】
【０００２】
交流電源（ＡＣ電源）の他にバッテリ電源（直流電源、ＢＣ電源）で駆動可能なノートブック型パーソナルコンピュータを含む携帯型コンピュータであるホストコンピュータに、ＤＶＤ、ＣＤを含む記録媒体（「光ディスク」という）に情報を記録する情報記録装置（「光ディスク記録装置」「光ディスクドライブ」ともいう）を接続して使用する情報記録システムがある。
【０００３】
このような情報記録システムでは、ホストコンピュータのバッテリ電源の残量にかかわらず、光ディスク記録装置はホストコンピュータから光ディスクアクアセス命令がくれば、ディスクアクアセスを実施してしまうので、ユーザが予期しないときに電源遮断となって光ディスクに対する記録が突然停止してしまって記録に失敗する虞がある。
そこで、ホストコンピュータを携帯性があるバッテリ駆動で使用する場合には、バッテリの消費電力を節約するためにフォーマット時間を短縮させる必要がある。
従来、バッテリ残量が少ないときには光ディスクへのフォーマットを途中で中断する情報記録システム（例えば、特許文献１参照）があった。
【特許文献１】特開２００４−３０７５８号公報
【発明の開示】
【発明が解決しようとする課題】
【０００４】
ところで、上記光ディスク記録装置で使用する光ディスクとして、記録層が２層ある光ディスクがある。例えば、記録層が２層あるＤＶＤ＋ＲＷディスク（「２層ディスク」と略称する）がある。
そのような２層ディスクにユーザデータを記録するにあたって、各層にフォーマット処理を施す必要があるが、例えば、２．４倍速の標準速度で２層ディスクの各層をフォーマットするのに約１時間の時間を要する。
しかしながら、従来の情報記録システムで２層ディスクをフォーマットした場合、フォーマット中にバッテリ残量が少なくなったのでフォーマットを自動的に中断してしまうと、例えば、１層目に記録されているが２層目に記録されていない状態になると、そのような２層ディスクはＤＶＤ−ＲＯＭ再生専用装置で再生ができなくなるという問題が発生する。
【０００５】
この発明は上記の点に鑑みてなされたものであり、バッテリ電源で駆動するホストコンピュータに接続された光ディスク記録装置で２層ディスクをフォーマットするときのフォーマット時間を短縮すると共に、フォーマット後の２層ディスクがＤＶＤ−ＲＯＭ再生専用装置で正しく再生できるようにすることを目的とする。
【課題を解決するための手段】
【０００６】
この発明は上記の目的を達成するため、次の情報記録システムを提供する。
（１）交流電源とバッテリ電源で駆動可能なホストコンピュータと、そのホストコンピュータに接続し、記録層が２層ある２層ディスクに対して情報の記録を行う情報記録装置とからなる情報記録システムにおいて、上記ホストコンピュータは、上記情報記録装置によって上記２層ディスクに対してフォーマット動作を実施させる際にバッテリ電源で駆動しているか否かを確認し、バッテリ電源で駆動していると判断したときには上記フォーマット動作をＺＺ方式フォーマットで行うように選択し、その選択結果のフォーマット命令を上記情報記録装置へ発行してＺＺ方式フォーマットによるフォーマット動作を行わせる情報記録システム。
【０００７】
（２）上記（１）の情報記録システムにおいて、上記ホストコンピュータは、上記バッテリ電源の残容量に応じて上記２層ディスクのフォーマットする容量を決定する情報記録システム。
（３）上記（１）の情報記録システムにおいて、上記ホストコンピュータは、上記情報記録装置にＺＺ方式フォーマットによるフォーマット動作を行わせるとき、上記バッテリ電源の残容量に応じてＺＺブロックの大きさが固定である場合にはＺＺフォーマットする単位の数を決定する情報記録システム。
（４）上記（１）〜（３）のいずれか一項に記載の情報記録システムにおいて、上記情報記録装置は、上記ホストコンピュータからのフォーマット命令の実行完了後に、フォーマット情報をディスク情報管理データとして上記２層ディスク上に記録する情報記録システム。
【０００８】
（５）上記（１）の情報記録システムにおいて、上記ホストコンピュータは、交流電源で駆動している場合、上記情報記録装置へ上記２層ディスクの全面に対して通常フォーマット命令を発行して通常フォーマットによるフォーマット動作を行わせる情報記録システム。
（６）上記（１）〜（４）のいずれかの情報記録システムにおいて、上記ホストコンピュータは、上記情報記録装置からフォーマット動作の完了通知を受信したあとに、上記情報記録装置へ上記２層ディスクのリードイン領域、リードアウト領域、テンポラリミドルゾーンを記録する命令を発行して記録を行わせる情報記録システム。
【発明の効果】
【０００９】
この発明による情報記録システムは、バッテリ電源で駆動するホストコンピュータに接続された光ディスク記録装置で２層ディスクをフォーマットするときのフォーマット時間を短縮すると共に、フォーマット後の２層ディスクがＤＶＤ−ＲＯＭ再生専用装置で正しく再生することができる。
【発明を実施するための最良の形態】
【００１０】
以下、この発明を実施するための最良の形態を図面に基づいて具体的に説明する。
〔実施例〕
図１は、この発明の一実施例のＣＤ／ＤＶＤ記録再生ドライブ装置とホストコンピュータとからなる情報記録システムの構成を示すブロック図である。
このＣＤ／ＤＶＤ記録再生ドライブ装置１は情報記録装置に相当し、マイクロコンピュータによって実現され、ホストインタフェースコントローラ（ＨＯＳＴ  Ｉ／Ｆ  ＣＯＮＴＲＯＬＬＥＲ）３を介してホストコンピュータ２０とデータのやり取りが可能に接続されており、ホストコンピュータ２０からの動画データ，ファイルデータ，画像データ等の各種の情報（データ）を光ディスク１８に記録し、ホストコンピュータ２０からの命令によって光ディスク１８に記録されている動画データ，ファイルデータ，画像データ等の各種の情報（データ）を再生してホストコンピュータ２０へ送る。
【００１１】
上記光ディスク１８は、例えば、ＤＶＤ＋ＲＷディスクであり、記録層が１層の通常の光ディスクの他に、記録層が２層ある光ディスク（２層ディスク）も含む。
不揮発性メモリ２は、フラッシュＲＯＭ（Ｆｌａｓｈ  ＲＯＭ）等のＣＰＵ１７がデータ内容を消去，書き換え可能な不揮発性メモリである。
ホストＩ／Ｆコントローラ３は、ホストコンピュータ２０とこのＣＤ／ＤＶＤ記録再生ドライブ装置１とのデータ通信を司るＬＳＤである。
バッファマネージャ（ＢＵＦＦＥＲ  ＭＡＮＡＧＥＲ）４は、ホストコンピュータ２０から転送されるデータ及び光ディスク１８から読み出したデータの転送制御をするＬＳＩである。
バッファメモリ５は、ホストコンピュータ２０から転送されるデータ及び光ディスク１８から読み出したデータを一時格納するＤＲＡＭ等のメモリである。
【００１２】
サブコードオペレーションコントローラ（ＳＵＢ  ＣＯＤＥ  ＯＰＥＲＡＴＩＯＮ  ＣＯＮＴＲＯＬＬＥＲ）６は、光ディスク１８上に記録するサブコードを生成したり、光ディスク１８から読み出したサブコードを分離（ＳＵＢ  Ｐ，Ｑ，Ｒ，…、Ｗ）するＬＳＩである。
ＣＤ−ＲＯＭエンコーダ（ＣＤ−ＲＯＭ  ＥＮＣＯＲＤＥＲ）７は、ＣＤ−ＲＯＭデータを光ディスク１８に書く前に変調するＬＳＩである。
メモリ８は、プログラム変数等を格納するＳＲＡＭ等のメモリである。
ＣＤ−ＲＯＭデコーダ（ＣＤ−ＲＯＭ  ＤＥＣＯＲＤＥＲ）９は、光ディスク１８から再生したＣＤ−ＲＯＭデータを復調するＬＳＩである。
【００１３】
オーディオコントローラ（ＡＵＤＩＯ  ＣＯＮＴＲＯＬＬＥＲ）１０は、音楽再生をコントロールするＬＳＩである。
システムコントローラ（ＳＹＳＴＥＭ  ＣＯＮＴＲＯＬＬＥＲ）１１は、光ディスク１８に対するデータの記録と再生を制御するＬＳＩである。
ＣＤ／ＤＶＤエンコーダ（ＣＤ／ＤＶＤ  ＥＮＣＯＲＤＥＲ）１２は、光ディスク１８にデータを記録する前にユーザデータとサブコードをディスク規格に適合できるように変調するＬＳＩである。
ＣＤ／ＤＶＤデコーダ（ＣＤ／ＤＶＤ  ＤＥＣＯＲＤＥＲ）１３は、光ディスク１８から再生した情報を、ユーザデータとサブコードに分離，復調するＬＳＩ（ＣＤ）と、光ディスク１８から再生したデータをユーザデータとしてデコードするＬＳＩ（ＤＶＤ）である。
【００１４】
サーボ（ＳＥＲＶＯ）部１４は、図示を省略した公知の光ピックアップの光ディスク１８に対する位置決め制御を行う。その光ピックアップは光ディスク１８にデータを記録・再生する際にレーザ光を発生させて照射する装置である。
スピンドルコントローラ（ＳＰＩＮＤＬＥ  ＣＯＮＴＲＯＬＬＥＲ）１５は、光ディスク１８の回転制御を行うＬＳＩである。
ホストインタフェース（ホストＩ／Ｆ）１６は、ホストコンピュータ２０と接続するＡＴＡＰＩバス等のＡＴＡＰＩインタフェースであり、ホストコンピュータ２０との間でＡＴＡＰＩインタフェース（ＡＴＡＰＩ  Ｉ／Ｆ）規格に基づくデータの転送を行う通信線である。
【００１５】
ＣＰＵ１７は、ユーザマイクロコントローラ（Ｕｓｅｒ  Ｍｉｃｒｏ  Ｃｏｎｔｒｏｌｌｅｒ）等の中央演算処理ＬＳＩであり、このＣＤ／ＤＶＤ記録再生ドライブ装置１の全動作を実行し、この発明に係わるＣＤ／ＤＶＤ記録再生ドライブ装置側の機能を実現する制御処理を実行する。
ホストコンピュータ２０は交流電源（ＡＣ電源）とバッテリ電源（ＢＣ電源）の両方で駆動可能であり、ＣＰＵ，ＲＯＭ，ＲＡＭ等からなるマイクロコンピュータによって実現される制御部２１を内蔵し、また衛星放送や地上放送のデジタルやアナログの映像を受信するＴＶチューナも内蔵し、さらにビデオカメラやデジタルカメラ等の機器も接続可能であり、この発明に係るホストコンピュータ側の機能を実現する制御処理を実行する。
【００１６】
次に、２層ディスクに対する通常フォーマットとＺＺ方式フォーマットについて説明する。
図２は、２層ディスクに対する通常フォーマットとＺＺ方式フォーマットの説明図である。
２層ディスクに対する通常のフォーマットは、図２の（ａ）に示すように、１層目（Ｌ０）を図中のステップ（図中「Ｓ」で示す）１の矢示方向にフォーマットパターンで記録（フォーマット）した後、２層目の領域をステップ２の矢示方向にフォーマットする。
一方、２層ディスクに対するＺＺフォーマットは、図２の（ｂ）に示すように、１層目（Ｌ０）と２層目（Ｌ１）の各層の所定ブロック（１層目と２層目は同じ大きさ）ずつを交互にフォーマットしていく。
【００１７】
つまり、１層目の１番目のブロックを図中のステップ３の矢示方向にフォーマットし、次に２層目の１番目のブロックを図中のステップ４の矢示方向にフォーマットし、次に１層目の２番目のブロックを図中のステップ５の矢示方向にフォーマットし、次に２層目の２番目のブロックを図中のステップ６の矢示方向にフォーマットし、次に１層目の３番目のブロックを図中のステップ７の矢示方向にフォーマットし、次に２層目の３番目のブロックを図中のステップ８の矢示方向にフォーマットする順で行う。
２層ディスクの場合、通常フォーマットを施すと２．４倍速（２．４Ｘ）記録で１時間以上の時間がかかる。
このフォーマットで１層目が記録され、２層目に記録されないと、そのような２層ディスクを再生専用ドライブ装置で再生してもアクセスできなくなる場合がある。
【００１８】
そこでＲＯＭ互換をとるためには１層、２層の両方を記録しなければならない（２層ディスクであるとディスクに記録されておきながら、１層しか記録されていないと矛盾が生じるため）。
しかしながら、ＺＺ方式フォーマットを施した場合、容量の小さい領域を１層、２層と書いていくので、全面フォーマットしてなくても短時間で書いた部分（必ず１層目に記録された部分に対応する２層目にもデータが記録される）におけるＲＯＭ互換がとれるというメリットがある。
ＺＺ方式フォーマットにおける論理ブロックアドレスは、図２の（ｂ）のステップ３、ステップ４、ステップ５、ステップ６、ステップ７、ステップ８という記録順で割り振られる。従って、ＺＺ方式フォーマットで記録された場合は、そのＺＺブロック情報を光ディスクに記録しておかなければならない。
【００１９】
次に、この情報記録システムにおけるフォーマット処理について説明する。
図３は、図１に示した情報記録システムのホストコンピュータにおけるフォーマット処理を示すフローチャート図である。
この処理では、ホストコンピュータ２０の制御部２１は、ＣＤ／ＤＶＤ記録再生ドライブ装置１に装着された光ディスク１８が２層ディスクにフォーマットを命令するとき、自装置がバッテリ駆動のときには、ＣＤ／ＤＶＤ記録再生ドライブ装置１へＺＺ方式フォーマットによるフォーマット動作を行わせるフォーマット命令を発行する。
制御部２１は、まず、ステップ（図中「Ｓ」で示す）１１でＣＤ／ＤＶＤ記録再生ドライブ装置に問い合わせてＣＤ／ＤＶＤ記録再生ドライブ装置１に挿入された光ディスクが未記録の光ディスクであるブランクディスクか否かを判断し、ブランクディスクでないなら、この処理を終了する。
【００２０】
一方、ブランクディスクなら、ステップ１２でバッテリ電源で駆動しているか否かを確認し、バッテリ駆動していると判断したら、ステップ１３でフォーマット動作をＺＺ方式フォーマットで行うように選択してＺＺフォーマット命令を設定し、ステップ１４でＣＤ／ＤＶＤ記録再生ドライブ装置へアタピ・フォーマット・ユニット・コマンド（ＡＴＡＰＩ  Ｆｏｒｍａｔ  Ｕｎｉｔ  Ｃｏｍｍａｎｄ）の（オペレーションコード０４ｈ（Ｏｐｅｒａｔｉｏｎ  Ｃｏｄｅ  ０４ｈ））によるＺＺフォーマット命令を発行してＺＺ方式フォーマットによるフォーマット動作を行わせ、この処理を終了する。
上記ＺＺフォーマットの設定は、ＣＤ／ＤＶＤ記録再生ドライブ装置１へＺＺ方式フォーマットによるフォーマット動作を命令するにあたり、そのＺＺサイズなどの詳細内容を決定するものである。
【００２１】
ステップ１２でバッテリ電源による駆動ではない、すなわち交流電源による駆動（ＡＣ駆動）と判断したときは、ステップ１５でフォーマット動作を通常のフォーマットを行うように選択して通常フォーマット命令を設定し、ステップ１４でＣＤ／ＤＶＤ記録再生ドライブ装置へアタピ・フォーマット・ユニット・コマンドのオペレーションコード０４ｈによる通常フォーマット命令を発行して通常フォーマットによるフォーマット動作を行わせ、この処理を終了する。
【００２２】
上記アタピ・フォーマット・ユニット・コマンドは、ＭＭＣ規格、ＳＦＦ規格で定められている標準マルチメディア用コマンドである。
このようにして、ホストコンピュータ２０は、自装置がバッテリ駆動していることを認識したときには、ＺＺ方式フォーマットを選択して、ＣＤ／ＤＶＤ記録再生ドライブ装置１に２層ディスクの光ディスク１８に対するＺＺ方式フォーマットを実行させるので、フォーマット時間の短縮化とフォーマット後の光ディスク１８のＤＶＤ−ＲＯＭ再生専用装置との互換性確保が可能となる。
【００２３】
次に、上述の処理において、制御部２１は、バッテリ電源の残容量に応じて２層ディスクである光ディスク１８のフォーマットする容量を決定し、ＣＤ／ＤＶＤ記録再生ドライブ装置１へ通知する。
表１は、バッテリ残量のレベルとそのレベルに応じたフォーマット容量との対応テーブルのフォーマットの一例を示す表である。
【００２４】
【表１】
2006236425.tif 000003
【００２５】
例えば、表１において、残量レベル０は、バッテリ電源の電力容量がほとんどない状態を示しており、レベル５はバッテリ電源の電力がフル状態であることを示している。
制御部２１は、ＣＤ／ＤＶＤ記録再生ドライブ装置１へフォーマット動作を命令するときのフォーマットする容量を、表１に示すテーブルを参照して決定する。このテーブルは予めホストコンピュータ２０のメモリ（図示を省略）に記憶しておく。
制御部２１は、フォーマットする容量を決定すると、ＣＤ／ＤＶＤ記録再生ドライブ装置１へ通知する。
【００２６】
図４は、ＣＤ／ＤＶＤ記録再生ドライブ装置１へフォーマットする容量を通知するフォーマットディスクリプリタ（Ｆｏｒｍａｔ  Ｄｅｓｃｒｉｐｔｏｒ）のフォーマット例を示す図である。
このフォーマットディスクリプリタをフォーマット・ユニット・コマンドによってＣＤ／ＤＶＤ記録再生ドライブ装置１へ転送する。
フォーマットする容量は、図４のＺＺブロックサイズ（ＺＺ  Ｂｌｏｃｋ  Ｓｉｚｅ）に設定する。また、フォーマット・タイプ（Ｆｏｒｍａｔ  Ｔｙｐｅ（３０ｈ））は、１つのＺＺブロックに対してフォーマットを実施させるための命令である。
【００２７】
次に、上述の処理において、制御部２１は、ＣＤ／ＤＶＤ記録再生ドライブ装置１にＺＺ方式フォーマットによるフォーマット動作を行わせるとき、上記バッテリ電源の残容量に応じてＺＺブロックの大きさが固定である場合にはＺＺフォーマットする単位の数を決定し、ＣＤ／ＤＶＤ記録再生ドライブ装置１へ通知する。
表２は、バッテリ残量のレベルとそのレベルに応じたＺＺ個数との対応テーブルのフォーマットの一例を示す表である。
【００２８】
【表２】
2006236425.tif 000004
【００２９】
制御部２１は、ＣＤ／ＤＶＤ記録再生ドライブ装置１へフォーマット動作を命令するときのＺＺブロック１つあたりの容量が決定されているときのＺＺ個数を、表２に示すテーブルを参照して決定する。このテーブルは予めホストコンピュータ２０のメモリ（図示を省略）に記憶しておく。
ＺＺサイズは、例えば、一般的なテレビ番組の長さ（例えば１時間分の容量）などからシステム側で決定されるものである。
制御部２１は、ＺＺ個数を決定すると、ＣＤ／ＤＶＤ記録再生ドライブ装置１へ通知する。
【００３０】
図５は、ＣＤ／ＤＶＤ記録再生ドライブ装置１へＺＺ個数を通知するフォーマットディスクリプリタ（Ｆｏｒｍａｔ  Ｄｅｓｃｒｉｐｔｏｒ）のフォーマット例を示す図である。
このフォーマットディスクリプリタをフォーマット・ユニット・コマンドによってＣＤ／ＤＶＤ記録再生ドライブ装置１へ転送する。
ＺＺブロックの個数は、図５のナンバ・オブ・ＺＺブロックス（Ｎｕｍｂｅｒ  ｏｆ  ＺＺ  Ｂｌｏｃｋｓ）に設定する。
また、フォーマット・タイプ（Ｆｏｒｍａｔ  Ｔｙｐｅ（３１ｈ））は、１つのＺＺブロックに対してフォーマットを実施させるための命令である。
【００３１】
こうして、例えば、光ディスク１８の各層のユーザセクタ数が１００００ｈ（２層目を合わせて２０００ｈ）であった場合、フォーマット時に決定するＺＺブロックのサイズを２００ｈ（各層１００ｈ）とすれば、１０ｈ、つまり１６個のＺＺブロックが出来上がることになる。
【００３２】
次に、上述の処理でＺＺ方式フォーマットで記録した場合は、通常方式の記録と異なり論理ブロックアドレスが１層目、２層目、１層目、２層目というように交互に割る振られるので、それらのＺＺブロック情報（大きさ、開始アドレスなど）を光ディスク１８上に記録しておかないと、正しくアドレス計算ができなくなり、再生と記録が不可能になる。
そこで、ＣＤ／ＤＶＤ記録再生ドライブ装置１は、ホストコンピュータ２０からのフォーマット命令の実行完了後に、２層ディスク上にフォーマット情報をディスク情報管理データとして記録する。
【００３３】
図６は、光ディスク１８にＺＺ方式フォーマットでフォーマットしたときのフォーマット情報を記録するときのフォーマット例を示す図である。
ＣＤ／ＤＶＤ記録再生ドライブ装置１のＣＰＵ１７は、光ディスク１８にＺＺ方式フォーマットでフォーマットすると、フォーマット後、図６に示すフォーマットでＺＺ方式フォーマットにおけるフォーマット情報を、例えば、光ディスク１８のリードイン領域に記録する。そのフォーマット情報は、後にこの光ディスク１８がＣＤ／ＤＶＤ記録再生ドライブ装置１や他の情報記録再生装置に挿入された場合に認識可能となる。
このようにして、フォーマット完了後に、ＺＺブロック情報（大きさ、開始アドレスなど）を光ディスク上に記録するので、後に情報の記録再生が可能となる。
【００３４】
次に、ホストコンピュータ２０がＡＣ電源で駆動されている場合は、消費電力を極端に抑える必要がない。
そこで、ホストコンピュータ２０の制御部２１は、交流電源で駆動している場合、ＣＤ／ＤＶＤ記録再生ドライブ装置１へ２層ディスクである光ディスク１８の全面に対して通常フォーマット命令を発行して通常フォーマットによるフォーマット動作を行わせる。
この処理は、図３に示すステップ１２でＡＣ電源駆動であると判断したら、ステップ１５で通常フォーマット命令を発行してＣＤ／ＤＶＤ記録再生ドライブ装置１に光ディスク１８に対する通常フォーマットによるフォーマットを実行させる。
【００３５】
このように、ＡＣ電源駆動時には電源資源が無限にあるので、通常フォーマットが可能となり、ＺＺフォーマットのような複雑なアドレス情報を持つ必要もなくなる。
複数のＺＺブロックからなるＺＺブロックフォーマットした光ディスクは、ＤＶＤ−ＲＯＭ互換がないので、デバイスドライバなどの特殊なソフトウェア（Ｓ／Ｗ）が必要となる。また、ＺＺブロックが１つであれば、通常の２層ディスクと同様な形態になるので上記のような特殊なＳ／Ｗは不要である。
このようにして、ＡＣ電源駆動時には電源資源が無限にあるので、通常フォーマットが可能となり、ＺＺフォーマットのような複雑なアドレス情報を持つ必要もなくなる。
【００３６】
次に、光ディスク１８にＺＺ方式フォーマットを実行した後に、光ディスク１８のリードイン（Ｌｅａｄ−ｉｎ）領域、リードアウト（Ｌｅａｄ−ｏｕｔ）領域、テンポラリミドルゾーン（Ｔｅｍｐｏｒａｒｙ  Ｍｉｄｄｌｅ  Ｚｏｎｅ）を記録しないとＤＶＤ−ＲＯＭ再生専用装置での再生が不可能になる。
【００３７】
次に、ホストコンピュータ２０の制御部２１は、ＣＤ／ＤＶＤ記録再生ドライブ装置１からフォーマット動作の完了通知を受信したあとに、ＣＤ／ＤＶＤ記録再生ドライブ装置１へ２層ディスクである光ディスク１８のリードイン領域、リードアウト領域、テンポラリミドルゾーンを記録する命令を発行して記録を行わせる。
クローズ・ファンクション（Ｃｌｏｓｅ  Ｆｕｎｃｔｉｏｎ）にテンポラリミドルゾーンを記録する設定が必要となる。
【００３８】
図７は、ＣＤ／ＤＶＤ記録再生ドライブ装置１へのクローズセッション／トラックコマンドのフォーマット例を示す図である。
このクローズセッション（Ｃｌｏｓｅ  Ｓｅｓｓｉｏｎ）／トラックコマンド（Ｔｒａｃｋ  Ｃｏｍｍａｎｄ）は、ＣＤ−Ｒ／ＲＷディスク、ＤＶＤ±Ｒ／ＲＷディスクなどの多種の光ディスク用に共通なコマンドであるため、クローズ（Ｃｌｏｓｅ）オプションは、クローズファンクションフィールド（Ｃｌｏｓｅ  Ｆｕｎｃｔｉｏｎ  Ｆｉｅｌｄ）で識別できるようになっている。
【００３９】
テンポラリミドルゾーン（Ｔｅｍｐｏｒａｒｙ  Ｍｉｄｄｌｅ  Ｚｏｎｅ）は、ＤＶＤ−ＲＯＭディスクと互換性を持たせるために必要な領域であり、ＤＶＤ−ＲＯＭディスクの２層ディスクでは、中間ゾーン（ミドルゾーン：Ｍｉｄｄｌｅ  Ｚｏｎｅ）と呼ばれる領域が光ディスク１８の外周領域に存在する１層から２層をまたぐにあたって、２層目の先頭（最外周）のユーザデータを再生するにあたり、直前の中間ゾーンにおいてアドレッシング（シーク）できるようにしている。
【００４０】
また、テンポラリミドルゾーンは、リードイン領域、リードアウト領域とともに記録する必要がある。テンポラリミドルゾーンを記録する設定は、図７のクローズファンクションフィールドのクローズファンクション：１１１ｂで実行できるようにする。
このようにして、光ディスク全体をフォーマットしないときでも、リードイン領域、リードアウト領域、テンポラリミドルゾーンを記録するのでＤＶＤ−ＲＯＭ再生専用装置での再生が可能になる。
【産業上の利用可能性】
【００４１】
この発明による情報記録システムは、多層の記録層を有する記録媒体に情報を記録する情報記録装置に上記記録媒体のフォーマットを指示する情報処理装置全般に適用することができる。
【図面の簡単な説明】
【００４２】
【図１】この発明の一実施例のＣＤ／ＤＶＤ記録再生ドライブ装置とホストコンピュータとからなる情報記録システムの構成を示すブロック図である。
【図２】２層ディスクに対する通常フォーマットとＺＺ方式フォーマットの説明図である。
【図３】図１に示す情報記録システムのホストコンピュータにおけるフォーマット処理を示すフローチャート図である。
【図４】図１に示すＣＤ／ＤＶＤ記録再生ドライブ装置１へフォーマットする容量を通知するフォーマットディスクリプリタのフォーマット例を示す図である。
【図５】図１に示すＣＤ／ＤＶＤ記録再生ドライブ装置１へＺＺ個数を通知するフォーマットディスクリプリタのフォーマット例を示す図である。
【図６】図１に示す光ディスク１８にＺＺ方式フォーマットでフォーマットしたときのフォーマット情報を記録するときのフォーマット例を示す図である。
【図７】図１に示すＣＤ／ＤＶＤ記録再生ドライブ装置１へのクローズセッション／トラックコマンドのフォーマット例を示す図である。
【符号の説明】
【００４３】
１：ＣＤ／ＤＶＤ記録再生ドライブ装置    ２：不揮発性メモリ    ３：ホストインタフェースコントローラ    ４：バッファマネージャ    ５：バッファメモリ    ６：サブコードオペレーションコントローラ    ７：ＣＤ−ＲＯＭエンコーダ    ８：メモリ    ９：ＣＤ−ＲＯＭデコーダ    １０：オーディオコントローラ    １１：システムコントローラ    １２：ＣＤ／ＤＶＤエンコーダ    １３：ＣＤ／ＤＶＤデコーダ    １４：サーボ（ＳＥＲＶＯ）部    １５：スピンドルコントローラ    １６：ホストＩ／Ｆ    １７：ＣＰＵ    １８：光ディスク    ２０：ホストコンピュータ    ２１：制御部
【図１】
2006236425.tif 000005
【図２】
2006236425.tif 000006
【図３】
2006236425.tif 000007
【図４】
2006236425.tif 000008
【図５】
2006236425.tif 000009
【図６】
2006236425.tif 000010
【図７】
2006236425.tif 000011